(57)【特許請求の範囲】
【請求項１】
回転可能であって内部に塵芥を貯留するドラム本体の内周に螺旋状に取付けられる一のブレードと、ドラム本体内に挿入される不動の内筒の外周に一のブレードとは逆向きの螺旋状に取付けられて一のブレードと所定の間隔を隔てて対向する他のブレードとを備えた塵芥ドラムのブレード構造において、一のブレードの内周縁部および他のブレードの外周縁部のそれぞれに、少なくとも対向する相手側のブレードの肉厚よりも長い幅を持つ案内部材を設け、一のブレードおよび他のブレードの一方に設けられる案内部材は対向する相手側のブレードに対し略直角あるいは直角を成す対向面を備えた帯状板であって、一のブレードおよび他のブレードの他方に設けられる案内部材は対向する相手側のブレードに向く湾曲面を備えていることを特徴とする塵芥ドラムのブレード構造。
【発明の詳細な説明】
【技術分野】
【０００１】
本発明は、塵芥を貯留する塵芥ドラムのブレード構造の改良に関する。
【背景技術】
【０００２】
この種、塵芥を貯留する塵芥ドラムのブレード構造としては、たとえば、回転可能であって内部に塵芥を貯留するドラム本体の内周に螺旋状に取付けられる一のブレードと、ドラム本体内に挿入される不動の内筒の外周に一のブレードとは逆向きの螺旋状に取付けられて一のブレードと所定の間隔を隔てて対向する他のブレードとを備えて構成されており、このブレード構造によれば、ドラム本体を回転駆動すると、塵芥を上記一のブレードで掻き上げるとともに、塵芥をドラム本体の奥へと搬送することができるようになっている。
【０００３】
また、他のブレードは、不動であって、塵芥をドラム本体内に速やかに案内する機能を果たし、一のブレードと協働して塵芥を投入口付近で滞留させないようにしている（たとえば、特許文献１参照）。
【０００４】
この塵芥ドラムのブレード構造にあっては、塵芥がある程度の厚みと剛性を持ったものである場合には、特に不都合なく、ドラム本体を回転させ続けることで塵芥をドラム本体内に圧縮しつつ貯留することが可能である。
【特許文献１】実開昭５６−９２６０３号公報（第３頁第１１行目から第６頁第6行目まで，図１）
【発明の開示】
【発明が解決しようとする課題】
【０００５】
しかしながら、ドラム本体内に投入される塵芥が特に裁断された紙片や樹皮等の比較的薄く柔軟性に富むようなものの場合、ドラム本体内での塵芥の圧縮が進んでいくと、以下の不具合が招来されることになる。
【０００６】
ここで、塵芥は、ドラム本体の回転によってドラム本体の奥へ圧縮されることになるが、図７に示すように、互いに逆巻となる螺旋状に設定されているため、ドラム本体の回転に伴って一のブレードＢ１の縁部と他のブレードの縁部Ｂ２との最接近部Ｐ，Ｐ’は回転方向に徐々にずれていくとともに、この最接近部Ｐ，Ｐ’間の隙間が一番狭くなり、この最接近部Ｐ，Ｐ’によっても塵芥が圧縮されることになる。
【０００７】
そして、一のブレードＢ１と他のブレードＢ２の肉厚は薄く、また、塵芥は、ドラム本体の回転に伴って一のブレードＢ１によって掻き上げるともにドラム本体の内方へ向けて押し出されることから、塵芥が、上記最接近部Ｐ，Ｐ’間に強制的に送り込まれることになるので、最接近部Ｐ，Ｐ’間にはまり込んだ塵芥には非常に大きな圧縮力が作用し、上記各ブレードＢ１，Ｂ２が塵芥に食い込んでしまう事態を将来し、さらには、大きな摩擦力が生じることになる。
【０００８】
かくして、この最接近部Ｐ，Ｐ’と塵芥との間に生じる大きな摩擦力と、最接近部Ｐ，Ｐ’間における大きな圧縮力による塵芥への各ブレードＢ１，Ｂ２の食い込み現象は、ドラム本体を回転させるうえで回転抵抗として作用することになり、最悪の場合にはドラム本体が停止せしめられて、塵芥貯留作業の継続が不能となってしまう。
【０００９】
そこで、本発明は上記不具合を改善するために創案されたものであって、その目的とするところは、塵芥貯留作業を円滑に行うことを可能とする塵芥ドラムのブレード構造を提供することである。
【課題を解決するための手段】
【００１０】
上記した目的を達成するため、本発明の課題解決手段は、回転可能であって内部に塵芥を貯留するドラム本体の内周に螺旋状に取付けられる一のブレードと、ドラム本体内に挿入される不動の内筒の外周に一のブレードとは逆向きの螺旋状に取付けられて一のブレードと所定の間隔を隔てて対向する他のブレードとを備えた塵芥ドラムのブレード構造において、一のブレードの内周縁部および他のブレードの外周縁部のそれぞれに、少なくとも対向する相手側のブレードの肉厚よりも長い幅を持つ案内部材を設け、一のブレードおよび他のブレードの一方に設けられる案内部材は対向する相手側のブレードに対し略直角あるいは直角を成す対向面を備えた帯状板であって、一のブレードおよび他のブレードの他方に設けられる案内部材は対向する相手側のブレードに向く湾曲面を備えていることを特徴とする。
【発明の効果】
【００１１】
本発明によれば、一のブレードと他のブレードとの最接近部では、肉厚の薄いブレードの縁部同士が対向するのではなく、ブレードの肉厚より長い幅を持つ案内部材同士が対向することになるので、塵芥に作用する圧縮力は軽減され、最接近部の部位で塵芥に各ブレードが食い込んでしまうようなことがなく、塵芥、各ブレードの間に生じる摩擦力も低減されることになる。
【００１２】
したがって、この最接近部と塵芥との間には大きな摩擦力が生じることなく、この最接近部間における大きな圧縮力による塵芥への各ブレードの食い込み現象が防止されるので、ドラム本体を回転させるうえで回転抵抗を低減することができ、これによって、ドラム本体が停止せしめられて、塵芥貯留作業の継続が不能となってしまうといった事態が回避される。
【発明を実施するための最良の形態】
【００１３】
以下に、図示した実施の形態に基づいて、この発明を説明する。図１は、一実施の形態における塵芥ドラムのブレード構造が具現化した塵芥ドラムの側面概略図である。図２は、一実施の形態における塵芥ドラムのブレード構造が具現化した塵芥ドラムの分解斜視図である。図３は、一実施の形態における塵芥ドラムのブレード構造が具現化した塵芥ドラムの背面図である。図４は、一実施の形態における一のブレードと他のブレードの斜視図である。図５は、一実施の形態における一のブレードと他のブレードの最接近部における断面図である。図６は、塵芥をドラム本体内に搬送している状態を示す一のブレードと他のブレードの斜視図である。
【００１４】
一実施の形態における塵芥ドラムのブレード構造は、塵芥ドラムＤに具現化されており、この塵芥ドラムＤは、図１、図２に示すように、筒状のドラム本体１と、ドラム本体１の一端開口部を閉塞する蓋２と、ドラム本体１の内周に螺旋状に取付けられる一のブレードたる二条のブレード１０と、ドラム本体１内に挿入される不動の内筒１４と、該内筒１４の外周に一のブレードたるブレード１０とは逆向きの螺旋状に取付けられて上記ブレード１０と所定の間隔を隔てて対向する他のブレードたる内筒ブレード１５と、ブレード１０の内筒ブレード１５に対向する内周縁部に設けた案内部材２０と、内筒ブレード１５のブレード１０に対向する外周縁部に設けた案内部材２１とを備えて構成されている。
【００１５】
以下、詳細に説明すると、ドラム本体１は、円筒状であって、内周に螺旋状のブレード１０が二条設けられており、ドラム本体１を一方側に回転させるとドラム本体１内に投入される塵芥を各ブレード１０によってドラム本体１の内方へと送り込むことができ、ドラム本体１を他方側に回転させるとドラム本体１内の塵芥を上記各ブレード１０によってドラム本体１から排出することができるようになっている。なお、ブレード１０の数は、ドラム本体１内に貯留される塵芥の種類に応じて変更してもよい。
【００１６】
そして、ドラム本体１の一端開口端は、蓋２で閉塞されるとともに、この蓋２には、図３に示すように、塵芥をドラム本体１内に投入することができるように投入口１１が設けられ、また、上記ドラム本体１の回転によって塵芥を排出することができるように排出口１２が設置されている。
【００１７】
さらに、図１、図２に戻って、上記蓋ＣのドラムＤの内方を向く側には、中空円錐台状の内筒１４が立設され、この内筒１４の外周には、上記ブレード１０に対して所定の間隔を隔てて対向し、上記ブレード１０の巻き方向とは逆巻の螺旋状とされる内筒ブレード１５が設けられている。なお、この内筒１４の下方基端側には、切欠１４ａが設けられており、この切欠１４ａを介して投入口１２から投入される塵芥をドラム本体１内に投入できるようになっている。
【００１８】
そして、上記蓋２は、具体的には、外方に別途設けられるドラム本体１を回転支持する図示しない外方部材等によって支持され、回転するドラム本体１に対して不動とされ、内筒１４および内筒ブレード１５も、またドラム本体１とともに回転するブレード１０に対して不動とされている。
【００１９】
そして、この内筒ブレード１５によって、投入口１２から投入され上記回転する各ブレード１０で内筒１４の上方に掻き上げられた塵芥をドラム本体１内方へと速やかに送り込むことができる。
【００２０】
さらに、ドラム本体１内が塵芥で一杯となる状態の後に、塵芥がドラム本体１内に投入されると、各ブレード１０で塵芥を圧縮しつつドラム本体１の内方へ送り込むことになるが、内筒ブレード１５の存在と投入口１２に投入された塵芥を掻き上げる各ブレード１０とで、ドラム本体１内における投入口１２の直下に新たに塵芥を投入するスペースを作るとともに、塵芥が投入口１２へ逆流してしまうことを防止している。
【００２１】
したがって、上記各ブレード１０と内筒ブレード１５および蓋２によって、ドラム本体１内に塵芥を圧縮して貯留することが可能となっている。
【００２２】
なお、上記ドラム本体１の他端は、図示しない駆動源に連結されており、この塵芥ドラムＤにあっては、上記したように、塵芥の投入および排出を行うことができるようになっている。
【００２３】
さて、上記した各ブレード１０には、案内部材２０が設けられ、また、内筒ブレード１５にも案内部材２１が設けられている。
【００２４】
以下、案内部材２０，２１に付いて詳細に説明すると、各ブレード１０に設けられる案内部材２０は、図４および図５に示すように、各ブレード１０の内周となる内周縁部に設けられており、対向する相手側のブレードとなる内筒ブレード１５の肉厚ｔより長い幅Ｈを持つ円筒パイプ形状に形成されている。
【００２５】
さらに、この案内部材２０は、上記のように円筒パイプ形状に形成されているので、対向する相手側のブレードとなる内筒ブレード１５に向く彎曲面を備えていることになる。
【００２６】
他方、内筒ブレード１５に設けられる案内部材２１は、図４および図５に示すように、内筒ブレード１５の外周となる外周縁部に設けられており、対向する相手側のブレードとなる各ブレード１０の肉厚Ｔより長い幅ｈを持つ帯状板とされている。
【００２７】
さらに、この案内部材２１は、内筒ブレード１５の外周縁部に、対向する相手側のブレードとなる各ブレード１０に対し対し略直角あるいは直角を成す様に取付けられており、案内部材２１の各ブレード１０に対向する対向面２０ａは、各ブレード１０に対して略直角あるいは直角を成している。
【００２８】
この案内部材２１は、内筒ブレード１５の外周縁部をドラム本体１の内方に向けて折り曲げて形成されてもよいし、内筒ブレード１５とは別部材とされる帯状板として外周縁部に溶接などして接合することによって設けられるとしてもよく、また、別部材とされる場合には、塵芥をドラム本体１の内方に搬送するときに、塵芥のドラム本体１の内方への移動を妨げることがないように、できる限り内筒ブレード１５より案内部材２１がドラム本体１の内方に位置するように取付けることが望ましい。
【００２９】
なお、各案内部材２０，２１は、各ブレード１０の内周縁部と内筒ブレード１５の外周縁部とが対向して臨む領域に設ければよく、各ブレード１０の内周縁部と内筒ブレード１５の外周縁部とが対向しえない領域まで延長して設けておく必要はない。
【００３０】
本発明が具現化された塵芥ドラムＤは以上のように構成され、以下、その作用について説明することとする。
【００３１】
上述のように、この塵芥ドラムＤにあっては、図６に示すように、塵芥をドラム本体１の内方へ搬送するようにドラム本体１を図６中一点鎖線矢印方向に投入回転させている状態で、投入口１１から塵芥をドラム本体１内に投入すると、投入口１１の直下に落ちた塵芥Ｗは、図６中実線矢印で示すように、各ブレード１０によってドラム本体１の上方へと掻き上げられて、ドラム本体１の内方へと搬送されるとともに、一部の塵芥Ｗは内筒ブレード１５のドラム内方を向く面にこぼれ落ち該内筒ブレード１５に案内されてドラム本体１内方へと搬送される。
【００３２】
さらに、塵芥Ｗがドラム本体１に一杯に貯留された状態で、さらに塵芥Ｗを投入すると、塵芥Ｗはドラム本体１の回転の継続によって、ドラム本体１内で圧縮されることになる。
【００３３】
そして、この圧縮が始まる状態となると、投入口１１から投入された塵芥Ｗは、ブレード１０によってドラム本体１の上方に掻き上げられるときに、ドラム本体１内は既に投入された塵芥Ｗで一杯になっているので、ブレード１０によって圧縮されつつ掻き上げられてドラム本体１の内方に搬送されることとなる。
【００３４】
すなわち、図６に示す、各ブレード１０の案内部材２０と内筒ブレード１５の案内部材２１の最接近部Ａ，Ａ’の間の隙間には、従来の塵芥ドラムと同様に、強制的に塵芥Ｗが送り込まれることになる。
【００３５】
しかし、図５に示したように、本ブレード構造における最接近部Ａ，Ａ’では、肉厚の薄いブレード１０および内筒ブレード１５の縁部同士が対向するのではなく、案内部材２０の幅は内筒ブレード１５の肉厚ｔより長い幅Ｈとされ、他方、案内部材２０に対向する案内部材２１の幅は各ブレード１０の肉厚Ｔより長い幅ｈとされていることから、塵芥に作用する圧縮力は軽減され、最接近部Ａ，Ａ’の部位で塵芥Ｗに各ブレード１０や内筒ブレード１５が食い込んでしまうようなことがなく、塵芥Ｗ、各ブレード１０および内筒ブレード１５の間に生じる摩擦力も低減されることになる。
【００３６】
したがって、この最接近部Ａ，Ａ’と塵芥Ｗとの間には大きな摩擦力が生じることなく、この最接近部Ａ，Ａ’間における大きな圧縮力による塵芥Ｗへの各ブレード１０および内筒ブレード１５の食い込み現象が防止されるので、ドラム本体１を回転させるうえで回転抵抗を低減することができ、これによって、ドラム本体１が停止せしめられて、塵芥貯留作業の継続が不能となってしまうといった事態が回避される。
【００３７】
さらに、案内部材２０はパイプ状であって、案内部材２１は帯状板であることから、ドラム本体１の外方側から各ブレード１０および内筒ブレード１５を乗り越えて最接近部Ａ，Ａ’間を通過してドラム本体１の内方側に移動しようとする塵芥の流れを円滑にすることができ、ドラム本体１を回転させるうえでの回転抵抗をより一層低減することができる。そして、回転抵抗をより一層低減することが可能であるので、塵芥貯留作業の中断といった事態を確実に防止することが可能である。
【００３８】
なお、上記したところでは、案内部材２０を各ブレード１０に、案内部材２１を内筒ブレード１５に設けているが、これを逆にして、案内部材２０を内筒ブレード１５に、案内部材２０を各ブレード１０に設けるようにしてもよいし、また、案内部材２１を廃して代わりに案内部材２０を内筒ブレード１５に設けてもよく、さらには、案内部材２０を廃して代わりに案内部材２１を各ブレード１０に設けてもよい。このような設計変更を行っても、ドラム本体１の外方側から各ブレード１０および内筒ブレード１５を乗り越えて最接近部Ａ，Ａ’間を通過してドラム本体１の内方側に移動しようとする塵芥の流れを円滑にすることができ、ドラム本体１を回転させるうえでの回転抵抗をより一層低減することができる。そして、回転抵抗をより一層低減することが可能であるので、塵芥貯留作業の中断といった事態を確実に防止することが可能であるという効果は失われない。
【００３９】
以上で、本発明の実施の形態についての説明を終えるが、本発明の範囲は図示されまたは説明された詳細そのものには限定されないことは勿論である。
【図面の簡単な説明】
【００４０】
【図１】一実施の形態における塵芥ドラムのブレード構造が具現化した塵芥ドラムの側面概略図である。
【図２】一実施の形態における塵芥ドラムのブレード構造が具現化した塵芥ドラムの分解斜視図である。
【図３】一実施の形態における塵芥ドラムのブレード構造が具現化した塵芥ドラムを背面概略図である。
【図４】一実施の形態における一のブレードと他のブレードの斜視図である。
【図５】一実施の形態における一のブレードと他のブレードの最接近部における断面図である。
【図６】塵芥をドラム本体内に搬送している状態を示す一のブレードと他のブレードの斜視図である。
【図７】従来の塵芥ドラムのブレード構造おける一のブレードと他のブレードの斜視図である。
【符号の説明】
【００４１】
１  ドラム本体
２  蓋
１０  一のブレードたるブレード
１１  投入口
１２  排出口
１４  内筒
１４ａ  切欠
１５  他のブレードたる内筒ブレード
２０，２１  案内部材
Ａ，Ａ’  案内部材の最接近部
Ｄ  塵芥ドラム
Ｗ  塵芥
【図１】
0004602915.tif 000002
【図２】
0004602915.tif 000003
【図３】
0004602915.tif 000004
【図４】
0004602915.tif 000005
【図５】
0004602915.tif 000006
【図６】
0004602915.tif 000007
【図７】
0004602915.tif 000008